(57)【要約】【課題】ユーザ周辺で他ユーザから発信された情報をユーザに音声提示することが可能な情報処理装置、情報処理方法、およびプログラムを提供する。【解決手段】ユーザの周辺で他ユーザから発信された情報を音声により前記ユーザに提示するよう制御する制御部を備え、前記制御部は、前記ユーザの周辺で他ユーザから発信された情報のうち、前記ユーザの状況に応じて特定の情報を強調して音声提示するよう制御する、情報処理装置。【選択図】図１
2018180024.tif 000002
【特許請求の範囲】
【請求項１】
ユーザの周辺で他ユーザから発信された情報を音声により前記ユーザに提示するよう制御する制御部を備え、
前記制御部は、前記ユーザの周辺で他ユーザから発信された情報のうち、前記ユーザの状況に応じて特定の情報を強調して音声提示するよう制御する、情報処理装置。
【請求項２】
前記制御部は、前記ユーザの周辺で、現在から所定時間内に他ユーザから発信された１以上の口コミ情報を継続的に音声により提示するよう制御する、請求項１に記載の情報処理装置。
【請求項３】
前記制御部は、前記ユーザの状況として、前記ユーザの正面方向のエリアで発信された口コミ情報を、他の方向のエリアで発信された口コミ情報よりも強調して音声提示するよう制御する、請求項２に記載の情報処理装置。
【請求項４】
前記制御部は、提示する前記口コミ情報の発信位置情報および前記ユーザの位置情報に基づいて当該口コミ情報の音像定位位置を定め、当該口コミ情報の音声信号に音像定位処理を行う、請求項３に記載の情報処理装置。
【請求項５】
前記制御部は、前記ユーザの状況として、前記ユーザが振り向いた方向のエリアで発信された口コミ情報を強調して音声提示するよう制御する、請求項４に記載の情報処理装置。
【請求項６】
前記制御部は、前記ユーザの状況として、前記ユーザが立ち止まった場合には全方向のエリアで発信された口コミ情報を強調して音声提示するよう制御する、請求項４に記載の情報処理装置。
【請求項７】
前記制御部は、前記ユーザの状況として、前記ユーザが注視する対象または注視する方向上における口コミ情報を強調して音声提示するよう制御する、請求項４に記載の情報処理装置。
【請求項８】
前記制御部は、音量の制御、ノイズ除去、若しくは所望音の帯域の抑制または増幅により、提示する前記口コミ情報を強調する、請求項２に記載の情報処理装置。
【請求項９】
前記制御部は、前記ユーザの移動状況または周辺状況に応じて、周辺の環境音が聞こえるよう、提示する前記口コミ情報の音量を調整する、請求項２に記載の情報処理装置。
【請求項１０】
前記制御部は、前記ユーザの状況として、前記ユーザの嗜好情報、現在の様子、または移動状況に応じて前記提示する口コミ情報をフィルタリングする、請求項２に記載の情報処理装置。
【請求項１１】
前記制御部は、前記口コミ情報の重要度または評価に応じて前記提示する口コミ情報をフィルタリングする、請求項２に記載の情報処理装置。
【請求項１２】
前記制御部は、前記提示する１以上の口コミ情報を統合する、請求項２に記載の情報処理装置。
【請求項１３】
前記制御部は、現在から所定時間前までの１以上の口コミ情報を統合して再生し、その後も前記ユーザの位置に変化がない場合、リアルタイムに発信された口コミ情報を継続的に音声提示するよう制御する、請求項１２に記載の情報処理装置。
【請求項１４】
前記提示する口コミ情報の音声は、発信者周辺の混雑状況に応じて、本人特定を回避するよう声色が加工される、請求項２に記載の情報処理装置。
【請求項１５】
前記制御部は、前記提示した口コミ情報に対する前記ユーザのフィードバックを取得し、当該口コミ情報への評価情報として対応付ける、請求項２に記載の情報処理装置。
【請求項１６】
前記制御部は、収音されたユーザの発話音声を口コミ情報として登録する、請求項２に記載の情報処理装置。
【請求項１７】
前記制御部は、ユーザコンテキストに応じて前記発話音声を補完した上で前記口コミ情報として登録する、請求項１６に記載の情報処理装置。
【請求項１８】
前記情報処理装置は、ネックバンド型スピーカである、請求項１に記載の情報処理装置。
【請求項１９】
プロセッサが、
ユーザの周辺で他ユーザから発信された情報を音声により前記ユーザに提示するよう制御することを含み、
さらに前記ユーザの周辺で他ユーザから発信された情報のうち、前記ユーザの状況に応じて特定の情報を強調して音声提示するよう制御する、情報処理方法。
【請求項２０】
コンピュータを、
ユーザの周辺で他ユーザから発信された情報を音声により前記ユーザに提示するよう制御する制御部として機能させ、
前記制御部は、前記ユーザの周辺で他ユーザから発信された情報のうち、前記ユーザの状況に応じて特定の情報を強調して音声提示するよう制御する、プログラム。
【発明の詳細な説明】
【技術分野】
【０００１】
本開示は、情報処理装置、情報処理方法、およびプログラムに関する。
【背景技術】
【０００２】
昨今の通信技術の発展に伴い、各ユーザは、携帯電話端末やスマートフォン等のモバイル端末を用いて様々なインターネットサービスを利用することが可能となった。インターネットサービスの一例として、例えば映画、商品、レストラン等の様々なコンテンツに関して一般ユーザが投稿した評価（所謂、口コミ情報）を閲覧できる口コミ情報サイトがある。【０００３】
このような口コミ情報の提示サービスに関し、例えば下記特許文献１では、口コミ情報の発信源を隠蔽しつつ、それらの信頼度を定量的に評価する口コミ情報共有装置が開示されている。
【先行技術文献】
【特許文献】
【０００４】
【特許文献１】特開２００６−２３６１６５号公報
【発明の概要】
【発明が解決しようとする課題】
【０００５】
しかしながら、従来の口コミ情報の提示方法は、テキストベースで行われ、ユーザは知りたい口コミ情報を検索するために検索キーワード等をテキスト入力して操作しなければならず、口コミ情報を直感的かつ簡易に取得することが困難であった。【０００６】
そこで、本開示では、ユーザ周辺で他ユーザから発信された情報をユーザに音声提示することが可能な情報処理装置、情報処理方法、およびプログラムを提案する。
【課題を解決するための手段】
【０００７】
本開示によれば、ユーザの周辺で他ユーザから発信された情報を音声により前記ユーザに提示するよう制御する制御部を備え、前記制御部は、前記ユーザの周辺で他ユーザから発信された情報のうち、前記ユーザの状況に応じて特定の情報を強調して音声提示するよう制御する、情報処理装置を提案する。【０００８】
本開示によれば、プロセッサが、ユーザの周辺で他ユーザから発信された情報を音声により前記ユーザに提示するよう制御することを含み、さらに前記ユーザの周辺で他ユーザから発信された情報のうち、前記ユーザの状況に応じて特定の情報を強調して音声提示するよう制御する、情報処理方法を提案する。【０００９】
本開示によれば、コンピュータを、ユーザの周辺で他ユーザから発信された情報を音声により前記ユーザに提示するよう制御する制御部として機能させ、前記制御部は、前記ユーザの周辺で他ユーザから発信された情報のうち、前記ユーザの状況に応じて特定の情報を強調して音声提示するよう制御する、プログラムを提案する。
【発明の効果】
【００１０】
以上説明したように本開示によれば、ユーザ周辺で他ユーザから発信された情報をユーザに音声提示することが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態による情報処理システムの概要について説明する図である。
【図２】本実施形態による情報処理システムの全体構成の一例を示す図である。
【図３】本実施形態によるクライアント端末の構成の一例を示すブロック図である。
【図４】本実施形態による口コミ情報のミキシングの一例について説明する図である。
【図５】本実施形態による口コミ情報選定エリアについて説明する図である。
【図６】本実施形態による他の口コミ情報選定エリアについて説明する図である。
【図７】本実施形態によるサーバの構成の一例を示すブロック図である。
【図８】本実施形態による口コミ情報の登録処理を示すシーケンス図である。
【図９】本実施形態による口コミ情報の提示処理を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による情報処理システムの概要
２．構成
２−１．クライアント端末１の構成
２−２．サーバ２の構成
３．動作処理
３−１．口コミ情報登録処理
３−２．口コミ情報提示処理
４．まとめ
【００１５】
＜＜１．本開示の一実施形態による情報処理システムの概要＞＞
図１は、本開示の一実施形態による情報処理システムの概要について説明する図である。図１に示すように、本実施形態による情報処理システムは、ユーザが装着するクライアント端末１により、周辺で他ユーザから発信された口コミ情報を音声提示することを可能とする。
【００１６】
クライアント端末１は、例えば図１に示すような首に掛けるタイプのスピーカ（ネックバンド型スピーカ）等のウェアラブルデバイスであってもよい。ネックバンド型スピーカの本体部分１１０にはスピーカが設けられ、ユーザに口コミ情報を音声提示することが可能である。なおネックバンド型スピーカに設けられたスピーカは、例えばＶＰＴ（Virtual  Phones  Technology）技術を用いて、音が耳元で聞こえるような聴覚効果を与えることができる。ネックバンド型スピーカから口コミ情報が音声提示されることで、周りの音と共に口コミ情報が聞こえ、ユーザは実際に誰かが周りで口コミ情報を呟いているような感覚を得ることができる。
【００１７】
また、ネックバンド型スピーカの本体部分１１０にイヤホン１２０が接続された場合、イヤホン１２０から口コミ情報を音声提示することも可能である。本実施形態で用いるイヤホン１２０は、オープンイヤー型イヤホンであってもよい。オープンイヤー型イヤホンは、耳に入れる部分がリング状に形成され（耳の穴が開放された状態）、リング状の内側面から音が出力される。これにより、ユーザは、周囲の環境音が遮られることなく、周囲の環境音と共にイヤホンからの音（口コミ情報）を聞くことが出来る。また、図１に示す例では、イヤホンがネックバンド型スピーカに有線により接続されているが、本実施形態はこれに限定されず、無線により接続するワイヤレスイヤホンであってもよい。また、イヤホン単体によりクライアント端末１が実現されてもよい。また、オープンイヤー型（耳を塞がないタイプ）のイヤホンは、図１に示すようなリング形状のイヤホンに限定されず、耳に引っ掛けたり耳たぶや耳の縁を挟んだりして装着されるイヤカフ形状のイヤホンであってもよい。若しくは、骨伝導イヤホンであってもよい。骨伝導イヤホンは、イヤカフ型またはクリップ型であってもよいし、耳周辺（耳の付け根周辺やこめかみの下周辺）に装着されるものであってもよい。また、オープンイヤー型ではないイヤホンであっても、例えばノイズキャンセリング機能を有するイヤホン（マイク付きイヤホン）の場合、適宜収音した周りの音を口コミ情報の音声に合成して再生することで、上述したように、周りの音と共に口コミ情報を提示し、ユーザは実際に誰かが周りで口コミ情報を呟いているような感覚を得ることができる。
【００１８】
（背景）
ここで、従来の口コミ情報の提示方法は、テキストベースで行われ、ユーザは知りたい口コミ情報を検索するために検索キーワード等をテキスト入力して操作する必要があり、口コミ情報の享受が直感的かつ簡易ではなかった。
【００１９】
また、スマートフォン等でのタッチ操作や、画面ＵＩは、行動しながらの使用には向いていない。
【００２０】
そこで、本実施形態による情報処理システムでは、上述したようなクライアント端末１を装着した状態でユーザが例えば街中を歩いている際に、周辺の他ユーザから発信された口コミ情報を音声提示することができる。また、本実施形態による情報処理システムでは、ユーザの動作（例えば振り向く、立ち止まる等）に応じて、ユーザが興味を示していると推定される特定の口コミ情報を強調して（具体的には、例えば音量を上げて）音声提示することを可能とする。
【００２１】
これにより、ユーザが街中を歩いているだけで周囲から周辺の口コミ情報が聞こえ、ユーザは視界を奪われることなく、また、操作の手間無く、簡易に口コミ情報を取得することができる。また、ユーザが興味のある口コミ情報が聞こえる方向に振り向いたり、興味のある口コミ情報をよく聞こうと立ち止まって耳を澄ませたりする行動により、自動的に対象の口コミ情報が強調されて提示される。このため、ユーザは、あたかも実際に周囲から口コミ情報が聞こえてくるような感覚で、自然な行動により直感的に情報を得ることができる。
【００２２】
また、本実施形態による情報処理システムでは、口コミ情報を音声により登録することも可能である。登録者は、現在感じたことをつぶやくような感覚で口コミ情報を登録することができる。
【００２３】
なお、本明細書において、「口コミ情報」とは、商品やレストラン等の評価の他、噂、つぶやき、思ったこと、考えたこと、出来事に関する情報、耳寄りな情報等、人々により発信される情報を広く含むものである。
【００２４】
続いて、このような本実施形態による情報処理システムの全体構成について図２を参照して説明する。図２は、本実施形態による情報処理システムの全体構成の一例を示す図である。
【００２５】
図２に示すように、本実施形態による情報処理システムは、各ユーザが装着するクライアント端末１（１ａ〜１ｄ・・・）と、サーバ２とを含む。クライアント端末１とサーバ２は、ネットワーク３を介して通信接続され、データの送受信が行われる。
【００２６】
クライアント端末１は、上述したように音声により口コミ情報をユーザに提示し得る。また、クライアント端末１は、位置情報をサーバ２に送信し、口コミ情報の配信を要求する。また、クライアント端末１は、登録したい口コミ情報を位置情報と共にサーバ２に送信してもよい。
【００２７】
サーバ２は、各ユーザのクライアント端末１から送信された口コミ情報を、位置情報と共に登録する。また、サーバ２は、クライアント端末１からの要求に応じて、ユーザの現在地周辺から送信された口コミ情報を配信することが可能である。
【００２８】
以上、本開示の一実施形態による情報処理システムについて説明した。続いて、本実施形態による情報処理システムに含まれる各装置の具体的な構成について図面を参照して説明する。
【００２９】
＜＜２．構成＞＞
＜２−１．クライアント端末１の構成＞
図３は、本実施形態によるクライアント端末１の構成の一例を示すブロック図である。図３に示すように、クライアント端末１は、制御部１０、通信部１１、位置測位部１２、モーションセンサ１３、生体センサ１４、カメラ１５、音声入力部１６、音声出力部１７、操作入力部１８、および記憶部１９を有する。
【００３０】
（制御部１０）
制御部１０は、演算処理装置および制御装置として機能し、各種プログラムに従ってクライアント端末１内の動作全般を制御する。制御部１０は、例えばＣＰＵ（Central  Processing  Unit）、マイクロプロセッサ等の電子回路によって実現される。また、制御部１０は、使用するプログラムや演算パラメータ等を記憶するＲＯＭ（Read  Only  Memory）、および適宜変化するパラメータ等を一時記憶するＲＡＭ（Random  Access  Memory）を含んでいてもよい。
【００３１】
また、本実施形態による制御部１０は、音声解析部１０１、行動認識部１０２、状況認識部１０３、口コミ情報出力制御部１０４、および口コミ情報登録処理部１０５としても機能する。
【００３２】
・音声解析部１０１
音声解析部１０１は、音声入力部１６により入力された音声情報（ユーザ発話、他ユーザ発話、または環境音）の解析を行う。例えば、音声解析部１０１は、発話音声を認識してテキスト化し、テキスト（文字列）の形態素解析および意味解析等を行う。また、音声解析部１０１は、発話音声の解析結果から声の特徴量を抽出し、予め登録されたユーザの音声特徴量と比較して声紋認証を行うことも可能である。また、音声解析部１０１は、環境音を解析してユーザの周辺の状況を認識することが可能である。
【００３３】
・行動認識部１０２
行動認識部１０２は、位置測位部１２、モーションセンサ１３、生体センサ１４、カメラ１５、および音声入力部１６の少なくともいずれかにより取得された情報に基づいて、ユーザの行動（歩く、走る、立ち止まる、自転車移動、電車移動等の行動や、振り向く、注視する等の動作等）を認識する。
【００３４】
・状況認識部１０３
状況認識部１０３は、位置測位部１２、モーションセンサ１３、生体センサ１４、カメラ１５、および音声入力部１６の少なくともいずれかにより取得された情報に基づいて、ユーザ状況（歩行スピード等の行動状況や、疲労度等の身体状態、幸福度や興奮度等の精神状態等）や周辺状況（混雑、室内、屋外等）を認識する。
【００３５】
・口コミ情報出力制御部１０４
口コミ情報出力制御部１０４は、サーバ２から取得したユーザ周辺の口コミ情報を、音声出力部１７からユーザに提示（出力）するよう制御する。具体的には、口コミ情報出力制御部１０４は、位置測位部１２により測位された位置情報を通信部１１からサーバ２に送信して口コミ情報の配信を要求し、サーバ２から送信された、ユーザ周辺（例えば半径３００ｍの範囲など）で発信された口コミ情報を音声出力するよう制御する。なお本実施形態によるサーバ２から送信される口コミ情報は、現在から所定時間内（例えば１０分以内、１時間以内、半日以内、１週間以内等）に発信された比較的新しいデータであってもよい。また、口コミ情報出力制御部１０４は、位置情報を継続的にサーバ２に送信して口コミ情報を取得し、ユーザが移動している際にも適切に周辺の口コミ情報を提示し続けることが可能である。
【００３６】
提示される口コミ情報は、後述するように他ユーザが録音、発信した音声である。このため、環境音等のノイズが含まれている場合もあるが、口コミ情報出力制御部１０４は、人の声だけ強調して再生することが可能である。また、口コミ情報出力制御部１０４は、特定のノイズまたは定常音を検出して、これらの帯域の音量を抑制したり、所望音を増幅する等して目的の音（人、環境音）を強調することも可能である。
【００３７】
また、本実施形態では口コミ音声情報を音声出力するため、テキストによる表示出力とは異なり、認知的に時間方向に一定範囲（区間）再生しなければならない。ユーザが一定範囲内に留まっている場合は多数の口コミ情報を順次再生する時間が確保できるが、ユーザが移動している場合はそのような時間が確保できず、また、多数の口コミ情報を全て順次に再生していると時間がかかってしまう。そこで、本実施形態による口コミ情報出力制御部１０４は、例えば多数の口コミ情報を適宜ミキシングして再生時間の短縮を図ることが可能である。
【００３８】
ここで、図４を参照して口コミ情報のミキシングの一例について説明する。図４に示すように、例えば複数の口コミ情報（口コミ１〜口コミ４）がある場合、各口コミ情報の発信時間に基づいて、先に登録された口コミ情報から順次、実際に発信された時間間隔を考慮してミキシングし、再生するようにしてもよい。再生時間が重複する部分は、口コミ音声がフェードイン、フェードアウトするようにしてもよい。
【００３９】
また、口コミ情報出力制御部１０４は、多数の口コミ情報のそれぞれ一部（例えば冒頭５秒ずつ）を抽出して繋げて、全体の再生時間を短縮してもよい。
【００４０】
このように多数の口コミ情報を集約して音声提示することで、例えばユーザ周辺で１５分内に発信された口コミ情報を１０秒程で流し、ユーザが移動中であっても適宜口コミ情報を提示することが可能となる。また、ユーザがその後もその場に留まっている場合、既に例えば１５分以内の口コミ情報は流したので、次の口コミ情報は（リアルタイムで）集約せずに再生するようにしてもよい。発信された口コミ情報をほぼリアルタイムでユーザに提示する場合、複数の口コミ情報が重なった場合は最新の口コミ情報を優先して音量を調整するようにしてもよい。
【００４１】
また、口コミ情報出力制御部１０４は、ユーザからの要求やユーザ状況に応じて、任意のフィルタリングで口コミ情報を絞り込んで再生するようにしてもよい。例えば、ユーザが疲れている様子であれば、カフェや公園など休憩所に関する口コミ情報を優先して再生する。また、初期設定で入力されたユーザの趣味嗜好に応じて、ユーザが好みそうな口コミ情報を優先して再生するようにしてもよい（例えばスペイン料理が好きな場合はスペイン料理に関する口コミ情報を多く提示する）。また、ユーザと属性（年齢、性別、趣向等）が似ている他ユーザが発信した口コミ情報を優先してもよい。より具体的には、例えば口コミ情報出力制御部１０４は、何を優先するかに基づいて各口コミ情報のスコアリングを行い、スコアの高い口コミ情報を提示するようにする。
【００４２】
また、口コミ情報出力制御部１０４は、ユーザの行動に応じて、例えば電車に乗っている際は現在地ではなく次の駅周辺の口コミ情報を優先して（次の駅周辺の口コミ情報のスコアを高くする）ユーザに提示したり、歩いている場合は進行方向の口コミ情報を優先して（進行方向の口コミ情報のスコアを高くする）ユーザに提示するようにしてもよい。
【００４３】
さらに、口コミ情報出力制御部１０４は、個々の口コミ情報の重要度に応じて絞り込んでもよい。例えば特定の場所から発信された口コミ情報の量が他の場所よりも多い場合、その場所で何らかの盛り上がりが推定されるため、当該特定の場所の口コミ情報が重要である（盛り上がっている）と判定し、優先的に提示するようにしてもよい。また、地域特性（公園、駅、レストラン、観光スポットなど）を考慮し、特徴的な場所で発信された口コミ情報は重要であると判定し、優先的に提示するようにしてもよい。また、後述するように口コミ情報に評価が行われている場合、評価が高い口コミ情報または評価が高い発信者の口コミ情報は重要であると判定し、優先的に提示するようにしてもよい。
【００４４】
また、口コミ情報出力制御部１０４は、類似の口コミ情報を統合して（口コミ音声の内容を組み合わせて）一つの口コミ情報としたり、類似の口コミ情報から代表的な一つの口コミ情報を選択したりしてもよい。例えば、同じキーワードや類似するキーワードが用いられ、同一対象について似たような評価がされている場合が想定される。
【００４５】
さらに、本実施形態による口コミ情報出力制御部１０４は、ユーザの身体的動作による指向性インタフェースを実現することも可能である。具体的には、例えば振り向き動作によって任意のエリアに紐づく口コミ情報をユーザが能動的に選択して取得することが可能となる。ここで、図５を参照して口コミ情報選定エリアについて説明する。
【００４６】
図５に示すように、口コミ情報出力制御部１０４は、例えばユーザの正面方向（具体的には、視野範囲）をエリア１、ユーザの左右の側面方向をエリア２、エリア３、背面方向をエリア４と設定し、エリア１に紐付けられた（すなわちエリア１内で発信された）口コミ情報（口コミＲ１〜Ｒ６）を優先的に音声提示するようにしてもよい（エリア１内の口コミ情報のスコアを高くする）。より具体的には、例えば図４を参照して説明したように多数の口コミ情報（エリア１〜エリア４の口コミＲ１〜Ｒ１４）をミキシングし、この際、エリア１の口コミ情報を他のエリアの口コミ情報よりも大きな音量で再生する。また、口コミ情報出力制御部１０４は、エリア１の領域を、ユーザに近いエリア１Ａ、ユーザからの距離が中程度のエリア１Ｂ、ユーザから遠いエリア１Ｃにさらに分けて、エリア１Ａからエリア１Ｃの口コミ情報をそれぞれ順次ミキシングして再生するようにしてもよい。特にユーザが移動している場合、ユーザに近いエリアから順に再生することで、進行方向上の口コミ情報を順次提示することが可能になる。
【００４７】
さらに、口コミ情報出力制御部１０４は、各口コミ情報（エリア１〜エリア４の口コミＲ１〜Ｒ１４）の発信位置情報およびユーザの現在位置情報に基づいて、各口コミ情報の音声の音像定位位置を定め、当該音声信号に音像定位処理を行う。すなわち、口コミ情報の音声が発信位置に対応する方向から聞こえるよう、音像定位処理により音の方向感や距離感（頭外定位）を表現し、ユーザに臨場感を与える。特に図１に示すようなオープンイヤーイヤホンや、ネック型スピーカで口コミ情報を音像定位して再生すると、周囲の実際の環境音と一体化し、雑踏の中において前方や後方から口コミ情報が聞こえてくる。
【００４８】
ここで、小さい音量だがエリア３の方向から聞こえる口コミ情報が気になって図５に示すようにユーザがエリア３の方向を振り向いた場合、口コミ情報出力制御部１０４は、エリア３内の口コミ情報（口コミＲ１０〜Ｒ１２）を優先して（例えば音量を上げて）提示するよう切り替える。このように本実施形態では、ユーザの身体的動作による指向性インタフェースを実現することができる。なお、ここでは振り向く動作を一例として挙げたが本実施形態はこれに限定されない。
【００４９】
また、口コミ情報出力制御部１０４は、ユーザが立ち止まって耳を澄ませている場合（集中レベルが高い場合）や、周囲を見回したりしている場合等は、周辺の口コミ情報に興味を示していると推定できるため、口コミ情報の音量を全体的に上げて強調提示するようにしたり、提示する口コミ量を増やしてもよい。
【００５０】
また、ユーザに対していずれの方向のエリアの口コミ情報を優先するかについては、図５を参照して説明したような方向に限定されず、縦方向も考慮され得る。図６は、本実施形態による他の口コミ情報選定エリアについて説明する図である。
【００５１】
図６に示すように、例えばユーザがエスカレーター等で上の階に上がっている場合、進行方向である上階エリア（エリア５）を優先し、口コミ情報出力制御部１０４はエリア５で発信された口コミ情報を、音像定位により上方から聞こえるよう音声提示してもよい。
【００５２】
また、周辺の口コミ情報を提示後もユーザがある方向をじっと見ている場合など注視している様子の場合、口コミ情報出力制御部１０４は、ユーザの視線方向上（モーションセンサ１３によりユーザが向いている方向を検知し得る）における口コミ情報をさらに取得して音声提示することも可能である。これにより視線方向上の遠く離れた場所（数キロ、数十キロなど）の口コミ情報も直感的に取得することが可能となる。この際、ユーザ視線方向上に位置する口コミ情報のうち、地域特性を考慮し、例えば駅、公園、イベント会場等の特徴的な場所で発信された口コミ情報を選出して提示するようにしてもよい。若しくは、口コミ情報出力制御部１０４は、ユーザが普段よく訪れる場所で発信された口コミ情報を選出して提示するようにしてもよい。
【００５３】
また、口コミ情報出力制御部１０４は、ユーザが注視している対象をカメラ１５による撮像画像の解析により認識できた場合、当該対象に関する口コミ情報をサーバ２から取得してユーザに提示するようにしてもよい。
【００５４】
また、口コミ情報出力制御部１０４は、ユーザが口コミ情報の聴取に集中し過ぎると周辺環境への意識が低下し、例えば車両の接近に気付かずに危険な状態が生じてしまう恐れもあるため、ユーザ状況（移動スピード、場所など）や周辺状況（車の往来が激しい等）に応じて、実際の環境音も聞こえるよう口コミ情報の音量を小さくする制御を適宜行うことが可能である。口コミ情報と環境音との音量の比率は、例えばユーザの移動速度に応じて変化させてもよい。具体的には、例えばゆっくり歩いている時は５：５、小走りしている時は２：８、停止した際は８：２としてもよい。
【００５５】
・口コミ情報登録処理部１０５
口コミ情報登録処理部１０５は、口コミ情報をサーバ２に登録する処理を行う。口コミ情報登録処理部１０５は、音声入力部１６により入力された音声データを口コミ情報としてサーバ２に送信することで、登録処理を実行する。ユーザはつぶやくだけで簡単にいつでもどこでも即時に口コミ情報の登録を行うことができる。また、口コミ情報登録処理部１０５は、口コミ情報と共に、位置測位部１２により測位した現在位置情報を送信する。また、口コミ情報登録処理部１０５は、状況認識部１０３により認識した周辺状況（混雑状況や周辺の人物の有無等）や、環境センサ（不図示）により検知した環境情報（気温、天候等）、さらにユーザ属性（発信者のＩＤ、年齢、性別、趣向等）も併せて送信してもよい。
【００５６】
口コミ情報の収音は、クライアント端末１に設けられたボタンの押下などユーザによる意図的な操作や所定のキーワードによる音声コマンド（「口コミ」など）、または特定のジェスチャー（口に手を添えるなど）が行われた際に開始される。口コミ情報登録処理部１０５は、このようなアクション（以下、「登録開始トリガ」とも称す）が行われてから一定時間（例えば１０秒間など）、若しくは１フレーズの発話を、音声入力部１６により収音（録音）して口コミ情報として取得する。また、登録開始トリガが続けて行われた場合は、収音（録音）時間を延長してもよい。
【００５７】
また、口コミ音声の録音は、意図的なアクションを行った場合に行う手法に限らず、クライアント端末１を常に口コミ発信モードに固定しておいてもよい。この場合、口コミ情報登録処理部１０５は、音声入力部１６で収音した発話音声の音声解析部１０１による解析結果に基づいて、口コミ音声部分を自動判別して抽出し、口コミ情報を取得する。
【００５８】
また、口コミ情報登録処理部１０５は、ユーザの行動や周辺状況から、収音した音声を補完した上で口コミ情報としてサーバ２に送信することも可能である。例えば、「これは美味しいなぁ」「ここで音楽イベントが始まるみたい」「このお店、コスパがすごく良いわ」など、指示語が含まれた音声や主語や目的が省略されている場合に、何に関する口コミ情報であるのか分からない場合もあるので、カメラ１５により撮像された撮像画像からの物体認識や、位置測位部１２により測位した現在位置情報に基づく場所情報（場所ＩＤ）を状況認識部１０３により特定し、補完に用いてもよい。
【００５９】
さらに、口コミ情報登録処理部１０５は、ユーザの行動（いわゆるコンテキスト）に基づいて口コミ情報を生成することも可能である。例えばユーザが立ち止まってポスター広告を凝視しながら感嘆の声を出した場合、ポスター広告に関連して「○○かっこいい」「□□（映画）見てみたい」等の口コミ情報を生成する。ポスター広告の内容は、カメラ１５で撮像して画像解析により取得可能である。また、この場合の音声は、ユーザ属性に基づく平均的な音声により合成されてもよい。
【００６０】
なお口コミ情報登録処理部１０５は、ユーザの発話に限定せず、ユーザと対話している相手ユーザの発話内容を口コミ情報として取得してもよい。
【００６１】
（通信部１１）
通信部１１は、有線または無線によりネットワーク３と接続し、ネットワーク上のサーバ２とデータの送受信を行う。通信部１１は、例えば有線／無線ＬＡＮ（Local  Area  Network）、またはＷｉ−Ｆｉ（登録商標）、携帯通信網（ＬＴＥ（Long  Term  Evolution）、３Ｇ（第３世代の移動体通信方式））等によりネットワーク３と通信接続する。
【００６２】
（位置測位部１２）
位置測位部１２は、外部からの取得信号に基づいてクライアント端末１の現在位置を検知する機能を有する。具体的には、例えば位置測位部１２は、ＧＰＳ（Global  Positioning  System）測位部により実現され、ＧＰＳ衛星からの電波を受信して、クライアント端末１が存在している位置を検知し、検知した位置情報を制御部１０に出力する。また、位置測位部１２は、ＧＰＳの他、例えばＷｉ−Ｆｉ（登録商標）、Ｂｌｕｅｔｏｏｔｈ（登録商標）、携帯電話・ＰＨＳ・スマートフォン等との送受信、または近距離通信等により位置を検知するものであってもよい。
【００６３】
（モーションセンサ１３）
モーションセンサ１３は、ユーザの動きを検出する検出部であって、例えば、加速度センサ、ジャイロセンサ、地磁気センサ等により実現される。
【００６４】
（生体センサ１４）
生体センサ１４は、ユーザの生体情報を検知する検知部であって、例えば、体温センサ、静脈センサ、脈拍センサ、心拍センサ、発汗センサ、脳波センサ等により実現される。生体センサ１４は、図１に示すようにクライアント端末１がユーザに装着された際にユーザの身体に接触（または近接）する位置に設けられ、装着時にユーザの生体情報を検知し得る。
【００６５】
（カメラ１５）
カメラ１５は、撮像レンズ、絞り、ズームレンズ、およびフォーカスレンズ等により構成されるレンズ系、レンズ系に対してフォーカス動作やズーム動作を行わせる駆動系、レンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されてもよい。また本実施形態によるカメラ１５は、図１に示すようにクライアント端末１がユーザに装着された際に、少なくともユーザの前方方向を撮影範囲に含むよう、本体部分１１０の左右いずれかの先端に設けられてもよい。また、カメラ１５は可動式であってもよく、ユーザの音声指示に従って上下方向や左右方向に向いたり、また、モーションセンサ１３の検知結果に従って水平姿勢を保つよう自動的に回転したりすることが可能である。
【００６６】
（音声入力部１６）
音声入力部１６は、マイクロホンと、そのマイクロホンで得られた音声信号を増幅処理するマイクアンプ部と、音声信号にデジタル変換するＡ／Ｄ変換器により実現され、音声信号を制御部１０に出力する。また、音声入力部１６は、複数のマイクロホンによる指向性または無指向性ビーム生成により、動的に、ユーザの発話、他ユーザ（ユーザと対面して話している相手）の発話、周辺の環境音を分離して収音することが可能である。また、ビーム方向が重なる音源については、所望の音源（ユーザの発話、他ユーザ、または環境音）の特性（周波数帯域、区間の長さなど）に応じてＳ／Ｎ比を上げることで、集中的に所望の音源を収音することも可能である。
【００６７】
（音声出力部１７）
音声出力部１７は、音声信号を再生するスピーカと、スピーカに対するアンプ回路を有する。
【００６８】
（操作入力部１８）
操作入力部１８は、ユーザによる操作指示を受付け、その操作内容を制御部１０に出力する。操作入力部１８は、タッチセンサ、圧力センサ、若しくは近接センサであってもよい。あるいは、操作入力部１８は、ボタン、スイッチ、およびレバーなど、物理的構成であってもよい。
【００６９】
（記憶部１９）
記憶部１９は、制御部１０の処理に用いられるプログラムや演算パラメータ等を記憶するＲＯＭ（Read  Only  Memory）、および適宜変化するパラメータ等を一時記憶するＲＡＭ（Random  Access  Memory）により実現される。
【００７０】
以上、本実施形態によるクライアント端末１の構成について具体的に説明した。なおクライアント端末１の構成は、図３に示す例に限定されない。例えば、クライアント端末１は、さらに環境センサ（照度センサ、温度センサ、気圧センサ、雨センサ、風センサ等）を有していてもよい。
【００７１】
＜２−２．サーバ２の構成＞
図７は、本実施形態によるサーバ２の構成の一例を示すブロック図である。図７に示すように、サーバ２は、制御部２０、通信部２１、および口コミ情報記憶部２２を有する。
【００７２】
（制御部２０）
制御部２０は、演算処理装置および制御装置として機能し、各種プログラムに従ってサーバ２内の動作全般を制御する。制御部２０は、例えばＣＰＵ（Central  Processing  Unit）、マイクロプロセッサ等の電子回路によって実現される。また、制御部２０は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００７３】
また、本実施形態による制御部２０は、口コミ情報登録部２０１、口コミ情報加工部２０３、および口コミ情報配信部２０２としても機能する。
【００７４】
口コミ情報登録部２０１は、クライアント端末１から送信された口コミ情報を、クライアント端末１の位置情報、日時（発信日時）、ユーザ属性（発信者のＩＤ、年齢、性別、趣向等）と共に口コミ情報記憶部２２に記憶する。また、口コミ情報登録部２０１は、口コミ情報の内容を解析し、口コミ情報のカテゴリやキーワードをさらに紐付けてもよい。また、口コミ情報登録部２０１は、クライアント端末１から周辺状況や環境状況も併せて送信された場合、これらも対応付けて口コミ情報記憶部２２に記憶する。
【００７５】
口コミ情報配信部２０２は、クライアント端末１からの要求に応じて、クライアント端末１の位置情報を参照してユーザ周辺（例えば半径３００ｍなど）で所定時間内（例えば１時間以内など）に発信された口コミ情報を口コミ情報記憶部２２から抽出し、要求元のクライアント端末１へ送信してユーザに音声提示するよう制御する。距離および時間の範囲は適宜設定され得る。例えばユーザの移動状況（歩いている、走っている、自転車に乗っている、電車に乗っている）に応じて、距離を広げてもよい。例えばユーザが電車に乗っている場合は次の駅周辺まで範囲に含めたり、ユーザが歩いたり走ったりしている場合は進行方向の数ｋｍ先まで含めるようにしてもよい。また、所定時間内の口コミ情報の量が所定値より少ない場合はさらに時間を遡ってもよい。
【００７６】
口コミ情報加工部２０３は、必要に応じて、登録または配信する口コミ情報の加工を行う。例えばプライバシー保護の観点から、発信者の周辺に人が少なく、音声で登録した口コミ情報がそのまま受信者に提示されると発信者が特定されてしまう恐れがある。この場合、口コミ情報加工部２０３は、発信者からの要求または発信者周辺の混雑状況に応じて、プライバシー保護対応を行うことが可能である。具体的には、例えば口コミ情報加工部２０３は、声色を変えて声による個人特定を回避したり、類似の口コミ情報と平均化したり組み合わせたりする。なお制御部２０は、発信者一人と受信者一人など、多少の加工によっても特定されてしまう可能性が高い場合等は、当該口コミ情報の配信をしないようにすることも可能である。
【００７７】
また、口コミ情報加工部２０３は、配信する口コミ情報の音声に特殊な音響加工を行い、実空間における音との区別をつきやすくしてもよい。これにより、ユーザが口コミ情報の聴取に集中し過ぎて周辺環境への意識が低下したり、危険を知らせる口コミ情報を実際の音声と思い込んで急に立ち止まったりといった危険な行動を回避することができる。かかる加工は、ユーザ状況（移動スピード、場所など）や周辺状況（車の往来が激しい等）に応じて適宜行われ得る。
【００７８】
なお制御部２０は、口コミ情報や口コミ情報の発信者に対して、口コミ情報受信者からのポジティブなフィードバックや活用レベル等に基づいて評価を行うことも可能である。受信者からのポジティブなフィードバックとは、例えば提示した口コミ情報に対して受信者が評価を示す何らかのアクション（ボタン操作、音声、ジェスチャー、感情の好転（生体情報等から検出される）等）を行った場合が想定される。また、活用レベルとは、提示した口コミ情報の受信者による活用率であって、例えば提示された口コミ情報に応じて受信者の行動に何らかの変化が起きた場合（進行方向を変えた場合等）に更新され得る。そして、制御部２０は、口コミ情報や口コミ情報の発信者に対するこのような評価を発信者に聴覚的、視覚的、または触覚的（振動など）にフィードバックすることで、更なる口コミ情報の発信行動を起こす動機付けを行うことが可能となる。
【００７９】
（通信部２１）
通信部２１は、有線または無線によりネットワーク３と接続し、ネットワーク３を介して各クライアント端末１とデータの送受信を行う。通信部２１は、例えば有線／無線ＬＡＮ（Local  Area  Network）、またはＷｉ−Ｆｉ（Wireless  Fidelity、登録商標）等によりネットワーク３と通信接続する。
【００８０】
（口コミ情報記憶部２２）
口コミ情報記憶部２２は、各クライアント端末１から送信された口コミ情報を記憶する。口コミ情報は、ユーザ属性（年齢、性別、趣向等）、場所に関する情報（位置情報、気温、天候、混雑状況等）、時間に関する情報（ＧＭＴ（グリニッジ標準時間）、特定イベント、イベントスケジュール）、内容に関する情報（キーワード、カテゴリ等）と紐付けて記憶され得る。特定イベントおよびイベントスケジュールといった情報は、口コミ情報の発信場所や発信日時、および口コミ情報の内容等に基づいて、必要に応じてネットワーク上からイベント情報を検索して口コミ情報登録部２０１により生成され得る。
【００８１】
また、口コミ情報記憶部２２は、記憶媒体、記憶媒体にデータを記録する記録装置、記憶媒体からデータを読み出す読出し装置および記憶媒体に記録されたデータを削除する削除装置等を含むストレージ装置により構成される。
【００８２】
以上、本実施形態によるサーバ２の構成について具体的に説明した。なお本実施形態によるサーバ２の構成は図７に示す例に限定されない。例えば、図３を参照して説明したクライアント端末１の口コミ情報出力制御部１０４および口コミ情報登録処理部１０５の機能をさらに有していてもよい。
【００８３】
＜＜３．動作処理＞＞
続いて、本実施形態による情報処理システムの動作処理について図面を用いて具体的に説明する。
【００８４】
＜３−１．口コミ情報登録処理＞
図８は、本実施形態による口コミ情報の登録処理を示すシーケンス図である。
【００８５】
図８に示すように、まず、クライアント端末１は、登録開始トリガを検出した場合（ステップＳ１０３）、口コミ情報登録処理部１０５は、音声入力部１６から入力されたユーザの発話音声に基づいて口コミ情報を取得する（ステップＳ１０６）。具体的には、例えば口コミ情報登録処理部１０５は、登録開始トリガ検出から一定時間の音声を録音し、音声による口コミ情報を取得する。
【００８６】
次に、口コミ情報登録処理部１０５は、位置測位部１２により位置情報を取得し（ステップＳ１０９）、口コミ情報を位置情報と共にサーバ２に送信する（ステップＳ１１２）。
【００８７】
次いで、サーバ２の口コミ情報登録部２０１は、クライアント端末１から送信された口コミ情報を口コミ情報記憶部２２に登録する（ステップＳ１１５）。
【００８８】
＜３−２．口コミ情報提示処理＞
続いて、図９を参照して口コミ情報提示処理について説明する。図９は、本実施形態による口コミ情報の提示処理を示すシーケンス図である。
【００８９】
図９に示すように、まず、クライアント端末１は、位置情報を取得し（ステップＳ２０３）、サーバ２に対して位置情報と共に口コミ情報の取得要求を行う（ステップＳ２０６）。
【００９０】
次に、サーバ２の口コミ情報配信部２０２は、受信した位置情報に基づいて、ユーザ周辺の直近の（所定時間内の）口コミ情報を口コミ情報記憶部２２から抽出する（ステップＳ２０９）。
【００９１】
次いで、サーバ２の口コミ情報配信部２０２は、抽出した口コミ情報を要求元のクライアント端末１に送信する（ステップＳ２１２）。
【００９２】
そして、クライアント端末１の口コミ情報出力制御部１０４は、サーバ２から受信した口コミ情報を音声出力部１７から音声により提示するよう制御する（ステップＳ２１５）。
【００９３】
以上説明したステップＳ２０３〜Ｓ２１５の処理がユーザの移動中等に繰り返されることで、ユーザは街中を歩きながら周辺の比較的新しい口コミ情報を継続的に音声により直感的に聴取することが可能となる。なお本実施形態による口コミ情報の提示は、継続的な提示に限定されず、断続的に（例えば定期的に）行われてもよい。
【００９４】
＜＜４．まとめ＞＞
上述したように、本開示の実施形態による情報処理システムでは、ユーザ周辺で他ユーザから発信された情報をユーザに音声提示することが可能となる。
【００９５】
また、従来のボイスレコーダー等では、雑踏の中で特定の話者の音声を高品位に分離、取得することが困難であったが、本実施形態は、カメラ認識や指向性マイクによりユーザの口元からピンポイントで収音することが可能である。
【００９６】
また、図１に示すようなネックバンド型スピーカに設けられた音声入力部１６によりユーザ音声を収音する場合、ユーザと音声入力部１６（マイク）の位置（相対関係）が固定されているため、より高精度、高品位に収音することが可能である。
【００９７】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９８】
例えば、上述したクライアント端末１またはサーバ２に内蔵されるＣＰＵ、ＲＯＭ、およびＲＡＭ等のハードウェアに、クライアント端末１またはサーバ２の機能を発揮させるためのコンピュータプログラムも作成可能である。また、当該コンピュータプログラムを記憶させたコンピュータ読み取り可能な記憶媒体も提供される。
【００９９】
また、上述した実施形態では、クライアント端末１を図１に示すようなネックバンド型スピーカにより実現したが、本実施形態はこれに限定されず、他のウェアラブルデバイス（スマートアイグラス、スマートイヤリング、スマートヘッドセット等）により実現してもよい。
【０１００】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０１】
なお、本技術は以下のような構成も取ることができる。
（１）
ユーザの周辺で他ユーザから発信された情報を音声により前記ユーザに提示するよう制御する制御部を備え、
前記制御部は、前記ユーザの周辺で他ユーザから発信された情報のうち、前記ユーザの状況に応じて特定の情報を強調して音声提示するよう制御する、情報処理装置。
（２）
前記制御部は、前記ユーザの周辺で、現在から所定時間内に他ユーザから発信された１以上の口コミ情報を継続的に音声により提示するよう制御する、前記（１）に記載の情報処理装置。
（３）
前記制御部は、前記ユーザの状況として、前記ユーザの正面方向のエリアで発信された口コミ情報を、他の方向のエリアで発信された口コミ情報よりも強調して音声提示するよう制御する、前記（２）に記載の情報処理装置。
（４）
前記制御部は、提示する前記口コミ情報の発信位置情報および前記ユーザの位置情報に基づいて当該口コミ情報の音像定位位置を定め、当該口コミ情報の音声信号に音像定位処理を行う、前記（３）に記載の情報処理装置。
（５）
前記制御部は、前記ユーザの状況として、前記ユーザが振り向いた方向のエリアで発信された口コミ情報を強調して音声提示するよう制御する、前記（４）に記載の情報処理装置。
（６）
前記制御部は、前記ユーザの状況として、前記ユーザが立ち止まった場合には全方向のエリアで発信された口コミ情報を強調して音声提示するよう制御する、前記（４）に記載の情報処理装置。
（７）
前記制御部は、前記ユーザの状況として、前記ユーザが注視する対象または注視する方向上における口コミ情報を強調して音声提示するよう制御する、前記（４）に記載の情報処理装置。
（８）
前記制御部は、音量の制御、ノイズ除去、若しくは所望音の帯域の抑制または増幅により、提示する前記口コミ情報を強調する、前記（２）〜（７）のいずれか１項に記載の情報処理装置。
（９）
前記制御部は、前記ユーザの移動状況または周辺状況に応じて、周辺の環境音が聞こえるよう、提示する前記口コミ情報の音量を調整する、前記（２）〜（７）のいずれか１項に記載の情報処理装置。
（１０）
前記制御部は、前記ユーザの状況として、前記ユーザの嗜好情報、現在の様子、または移動状況に応じて前記提示する口コミ情報をフィルタリングする、前記（２）〜（９）のいずれか１項に記載の情報処理装置。
（１１）
前記制御部は、前記口コミ情報の重要度または評価に応じて前記提示する口コミ情報をフィルタリングする、前記（２）〜（１０）のいずれか１項に記載の情報処理装置。
（１２）
前記制御部は、前記提示する１以上の口コミ情報を統合する、前記（２）〜（１１）のいずれか１項に記載の情報処理装置。
（１３）
前記制御部は、現在から所定時間前までの１以上の口コミ情報を統合して再生し、その後も前記ユーザの位置に変化がない場合、リアルタイムに発信された口コミ情報を継続的に音声提示するよう制御する、前記（１２）に記載の情報処理装置。
（１４）
前記提示する口コミ情報の音声は、発信者周辺の混雑状況に応じて、本人特定を回避するよう声色が加工される、前記（２）〜（１３）のいずれか１項に記載の情報処理装置。
（１５）
前記制御部は、前記提示した口コミ情報に対する前記ユーザのフィードバックを取得し、当該口コミ情報への評価情報として対応付ける、前記（２）〜（１４）のいずれか１項に記載の情報処理装置。
（１６）
前記制御部は、収音されたユーザの発話音声を口コミ情報として登録する、前記（２）〜（１５）のいずれか１項に記載の情報処理装置。
（１７）
前記制御部は、ユーザコンテキストに応じて前記発話音声を補完した上で前記口コミ情報として登録する、前記（１６）に記載の情報処理装置。
（１８）
前記情報処理装置は、ネックバンド型スピーカである、前記（１）〜（１７）のいずれか１項に記載の情報処理装置。
（１９）
プロセッサが、
ユーザの周辺で他ユーザから発信された情報を音声により前記ユーザに提示するよう制御することを含み、
さらに前記ユーザの周辺で他ユーザから発信された情報のうち、前記ユーザの状況に応じて特定の情報を強調して音声提示するよう制御する、情報処理方法。
（２０）
コンピュータを、
ユーザの周辺で他ユーザから発信された情報を音声により前記ユーザに提示するよう制御する制御部として機能させ、
前記制御部は、前記ユーザの周辺で他ユーザから発信された情報のうち、前記ユーザの状況に応じて特定の情報を強調して音声提示するよう制御する、プログラム。
【符号の説明】
【０１０２】
１  クライアント端末
１０  制御部
１０１  音声解析部
１０２  行動認識部
１０３  状況認識部
１０４  口コミ情報出力制御部
１０５  口コミ情報登録処理部
１１  通信部
１２  位置測位部
１３  モーションセンサ
１４  生体センサ
１５  カメラ
１６  音声入力部
１７  音声出力部
１８  操作入力部
１９  記憶部
１１０  本体部分
１２０  イヤホン
２  サーバ
２０  制御部
２０１  口コミ情報登録部
２０２  口コミ情報配信部
２０３  口コミ情報加工部
２１  通信部
２２  口コミ情報記憶部
３  ネットワーク
【図１】
2018180024.tif 000003
【図２】
2018180024.tif 000004
【図３】
2018180024.tif 000005
【図４】
2018180024.tif 000006
【図５】
2018180024.tif 000007
【図６】
2018180024.tif 000008
【図７】
2018180024.tif 000009
【図８】
2018180024.tif 000010
【図９】
2018180024.tif 000011
【国際調査報告】
2018180024.tif 000012
2018180024.tif 000013
2018180024.tif 000014
2018180024.tif 000015